(57)【要約】      （修正有）【課題】  凍結乾燥製剤などの薬剤を収納するバイアルをゴム栓で密閉する際に、ゴム栓での密閉をさらに確実にすることができ、しかも、分別などが容易で、改竄防止にも優れるバイアル用キャップを提供する。【解決手段】  側壁の一部に軸方向に弱化線９ａ，９ｂを形成した円筒体３と、この円筒体の上部開口部を閉止する蓋４と、前記円筒体を弱化線に沿って破断するための取外し用把持部７とから構成されるものであって、合成樹脂で一体成形してバイアル用キャップ１とする。【選択図】      図２
2007008517.tif 000002
【特許請求の範囲】
【請求項１】
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部を有し、
前記円筒体または蓋のいずれか一方には、バイアル口部に密嵌されるゴム栓を押圧するゴム栓押圧部を有すること
を特徴とするバイアル用キャップ。
【請求項２】
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部を有し、
前記蓋は、
バイアル口部に密嵌されるゴム栓を押圧するゴム栓押圧部を有し、
前記取外し用把持部は、
前記円筒体に開口部に向かって垂直に設けられている弱化線に沿って、円筒体に接合した基部を有し、その先端が円筒体に並行に展延し、
円筒体と蓋の結合部には、円筒体の弱化線の一端を起点とし、前記展延方向とは逆方向に所定長さの円弧状の弱化線が設けられていること
を特徴とするバイアル用キャップ。
【請求項３】
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部、内周部の上部に、バイアル口部に密嵌されるゴム栓を押圧するゴム栓押圧部を有するとともに、縮径部が一体的に形成され、前記縮径部の開口部を開閉する蓋がヒンジを介して上部外周部に設けられ、
前記弱化線は、
前記ヒンジの端部から、下部開口部に向かって垂直に設けられていること
を特徴とするバイアル用キャップ。
【請求項４】
前記弱化線は、
前記ヒンジの両端から設けられるいずれか一方が、下部開口部までは設けられていないこと
を特徴とする請求項３に記載のバイアル用キャップ。
【請求項５】
前記縮径部は、
縮径部の開口部を形成する円周部の一部で、前記ヒンジの設けられた位置と異なる位置に、欠落部を有していること
を特徴とする請求項３又は４に記載のバイアル用キャップ。
【請求項６】
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部を有し、
前記蓋は、
バイアル口部に密嵌されるゴム栓を押圧するゴム栓押圧部を有し、
前記取外し用把持部は、
その一部がヒンジとして、前記円筒体の弱化線の一端を起点とする所定幅でのみ円筒体と接合し、上面が水平面を形成する扁平なリング体であること
を特徴とするバイアル用キャップ。
【請求項７】
前記蓋は、
前記取外し用把持部を形成するリング体内に位置し、下面が蓋上面に接合し、上面が前記リング体の上面と同一平面を形成する小径の重積用のリング部材が設けられていること
を特徴とする請求項６に記載のバイアル用キャップ。
【請求項８】
前記取外し用把持部を形成するリング体は、
前記重積用のリング部材と、複数箇所において突起状物で結合していること
を特徴とする請求項６に記載のバイアル用キャップ。
【請求項９】
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部を有し、
前記蓋は、
バイアル口部に密嵌されるゴム栓を押圧するゴム栓押圧部を有し、
前記取外し用把持部は、
前記蓋の上部に設けられた筒状体であって、この筒状体の下部を会して筒状体と蓋が結合し、この結合部が、筒状体の弱化線の一端を起点とする所定の幅のヒンジを除いて分離可能な薄肉で形成され、
前記筒状体の弱化線が、開口部に向かって垂直に設けられていること
を特徴とするバイアル用キャップ。
【請求項１０】
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部を有し、
前記蓋は、
バイアル口部に密嵌されるゴム栓を押圧するゴム栓押圧部を有し、
前記取外し用把持部は、
前記円筒体の外側面上部に設けられた筒状体で、円筒体との結合部が円筒体の弱化線の一端を起点とする所定の幅のヒンジを除いて、分離可能な薄肉または部分的な突起状物で形成され、
円筒体と蓋の結合部に、円筒体の弱化線の一端を起点とする所定長さの円弧状の弱化線が設けられ、
円筒体の弱化線は、開口部に向かって垂直に設けられていること
を特徴とするバイアル用キャップ。
【請求項１１】
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部を有し、
前記蓋は、
バイアル口部に密嵌されるゴム栓を押圧するゴム栓押圧部を有し、
前記円筒体と蓋は、
円筒体の弱化線の一端を起点とする所定の幅のヒンジ部を除いて、分離可能な薄肉または突起により結合部を形成し、
前記取外し用把持部は、
前記ヒンジと対称の位置に、蓋の円筒体との結合部から突出し、かつ、蓋周壁に沿って展延していること
を特徴とするバイアル用キャップ。
【発明の詳細な説明】
【技術分野】
【０００１】
この発明は、凍結乾燥製剤などの薬剤を収納するバイアル用キャップ、より具体的にはバイアルをゴム栓で密閉するに際し、ゴム栓での密閉をさらに確実にするために用いられるキャップに関するもので、包装容器技術に属するものである。
【背景技術】
【０００２】
従来、凍結乾燥製剤などの薬剤を収容するバイアルなどの口部の密封は、口部をゴム栓で密閉するとともに、さらにゴム栓の上にアルミキャップを被せて巻き締めることにより行われている。しかしながら、公知のアルミキャップで巻き締め密封したバイアルは、薬剤の使用に際しては、アルミキャップを剥き取るに際し、キャップのアルミで手などを引っ掛けて怪我をする、また、使用後に、アルミを分別して廃棄する際にも格別な取扱いが必要である、などの欠点を有していた。
【０００３】
そのため、特開平７−１８７２１６号公報（特許文献１）においては、バイアルの口部を密封する際に、アルミキャップによる巻締めを必要としないゴム栓付のバイアル用キャップが提案されている。
【０００４】
この特許文献１で開示されたバイアル用キャップは、スカートと天面を有してなるキャップ外枠、スカートと透孔が形成された天面からなるキャップ内枠、フランジと脚を有してなるゴム栓とから構成されているものである。
【０００５】
一方、特開２００３−７２８０７号公報（特許文献２）や特開２００３−１６５５５６号公報（特許文献３）においては、注出口を有するキャップに関し、容器とキャップを分別して廃棄できるようにした分別回収用キャップが提案されている。
【０００６】
これら分別回収用キャップは、容器の口部外側に打栓される打栓式の注出口と、この注出口を施蓋する蓋体と、これら蓋体と注出口とを揺動自在に連結するヒンジとが一体に設けられているものである。
【特許文献１】特開平  ７−１８７２１６号公報  （特許請求の範囲）
【特許文献２】特開２００３−７２８０７号公報  （特許請求の範囲）
【特許文献３】特開２００３−１６５５５６号公報（特許請求の範囲）
【発明の開示】
【発明が解決しようとする課題】
【０００７】
この発明は、前記特許文献１で提示されている発明、すなわち、バイアルの口部を密封する際に、アルミキャップによる巻き締めを必要としない、ゴム栓付のバイアル用キャップが有する問題点、たとえば、キャップ外枠と内枠内にゴム栓が組み込まれているため、キャップの分別回収に際して、キャップとゴムを分別しなければならず、またその分別が容易でないこと、さらには該キャップによる容器の開閉が容易でないことなどを改良したキャップを提供することを課題とするものである。
【０００８】
すなわち、この発明は上記の課題を解決するために、特許文献２や３で採用されている弱化線機能の利用を検討し、構成が簡単で、開封に際して手指を損傷する危険性がなく、しかもワンステップで開封可能なバイアル用キャップを提供せんとするものである。
【課題を解決するための手段】
【０００９】
前記の目的を達成するため、この発明の請求項１に記載の発明は、
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部を有し、
前記円筒体または蓋のいずれか一方には、バイアル口部に密嵌されるゴム栓を押圧するゴム栓押圧部を有すること
を特徴とするバイアル用キャップである。
【００１０】
また、この発明の請求項２に記載の発明は
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部を有し、
前記蓋は、
バイアル口部に密嵌されるゴム栓を押圧するゴム栓押圧部を有し、
前記取外し用把持部は、
前記円筒体に開口部に向かって垂直に設けられている弱化線に沿って、円筒体に接合した基部を有し、その先端が円筒体に並行に展延し、
円筒体と蓋の結合部には、円筒体の弱化線の一端を起点とし、前記展延方向とは逆方向に所定長さの円弧状の弱化線が設けられていること
を特徴とするバイアル用キャップである。
【００１１】
また、この発明の請求項３に記載の発明は、
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部、内周部の上部に、バイアル口部に密嵌されるゴム栓を押圧するゴム栓押圧部を有するとともに、縮径部が一体的に形成され、前記縮径部の開口部を開閉する蓋がヒンジを介して上部外周部に設けられ、
前記弱化線は、
前記ヒンジの端部から、下部開口部に向かって垂直に設けられていること
を特徴とするバイアル用キャップである。
【００１２】
また、この発明の請求項４に記載の発明は、
請求項３に記載のバイアル用キャップにおいて、
前記弱化線は、
前記ヒンジの両端から設けられるいずれか一方が、下部開口部までは設けられていないこと
を特徴とするものである。
【００１３】
また、この発明の請求項５に記載の発明は、
請求項３又は４に記載のバイアル用キャップにおいて、
前記縮径部は、
縮径部の開口部を形成する円周部の一部で、前記ヒンジの設けられた位置と異なる位置に、欠落部を有していること
を特徴とするものである。
【００１４】
また、この発明の請求項６に記載の発明は、
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部を有し、
前記蓋は、
バイアル口部に密嵌されるゴム栓を押圧するゴム栓押圧部を有し、
前記取外し用把持部は、
その一部がヒンジとして、前記円筒体の弱化線の一端を起点とする所定幅でのみ円筒体と接合し、上面が水平面を形成する扁平なリング体であること
を特徴とするバイアル用キャップである。
【００１５】
また、この発明の請求項７に記載の発明は、
請求項６に記載のバイアル用キャップにおいて、
前記蓋は、
前記取外し用把持部を形成するリング体内に位置し、下面が蓋上面に接合し、上面が前記リング体の上面と同一平面を形成する小径の重積用のリング部材が設けられていること
を特徴とするものである。
【００１６】
また、この発明の請求項８に記載の発明は、
請求項６に記載のバイアル用キャップにおいて、
前記取外し用把持部を形成するリング体は、
前記重積用のリング部材と、複数箇所において突起状物で結合していること
を特徴とするものである。
【００１７】
また、この発明の請求項９に記載の発明は、
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部を有し、
前記蓋は、
バイアル口部に密嵌されるゴム栓を押圧するゴム栓押圧部を有し、
前記取外し用把持部は、
前記蓋の上部に設けられた筒状体であって、この筒状体の下部を会して筒状体と蓋が結合し、この結合部が、筒状体の弱化線の一端を起点とする所定の幅のヒンジを除いて分離可能な薄肉で形成され、
前記筒状体の弱化線が、開口部に向かって垂直に設けられていること
を特徴とするバイアル用キャップである。
【００１８】
また、この発明の請求項１０に記載の発明は、
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部を有し、
前記蓋は、
バイアル口部に密嵌されるゴム栓を押圧するゴム栓押圧部を有し、
前記取外し用把持部は、
前記円筒体の外側面上部に設けられた筒状体で、円筒体との結合部が円筒体の弱化線の一端を起点とする所定の幅のヒンジを除いて、分離可能な薄肉または部分的な突起状物で形成され、
円筒体と蓋の結合部に、円筒体の弱化線の一端を起点とする所定長さの円弧状の弱化線が設けられ、
円筒体の弱化線は、開口部に向かって垂直に設けられていること
を特徴とするバイアル用キャップである。
【００１９】
さらに、この発明の請求項１1に記載の発明は、
側壁の一部に軸方向に弱化線を形成した円筒体と、この円筒体の上部開口部を閉止する蓋とからなり、前記円筒体を前記弱化線に沿って破断する取外し用把持部を有し、合成樹脂製の一体成形品であるバイアル用キャップにおいて、
前記円筒体は、
内周部の下部近傍に、バイアル口部のフランジ部と係合する係合部を有し、
前記蓋は、
バイアル口部に密嵌されるゴム栓を押圧するゴム栓押圧部を有し、
前記円筒体と蓋は、
円筒体の弱化線の一端を起点とする所定の幅のヒンジ部を除いて、分離可能な薄肉または突起により結合部を形成し、
前記取外し用把持部は、
前記ヒンジと対称の位置に、蓋の円筒体との結合部から突出し、かつ、蓋周壁に沿って展延していること
を特徴とするバイアル用キャップである。
【発明の効果】
【００２０】
この発明のバイアル用キャップは、合成樹脂で一体成形されたもので、しかも構造が簡明で、アルミなどの金属を用いていないため、開封に際して、手指を切傷するおそれがなく、取外し用把持部を用いてワンステップで開封できる開封容易なもので、しかも、弱化ラインが１本でも簡単に取外しができる形体のものとすることもできる。
【００２１】
また、この発明のバイアル用キャップは、蓋とゴム栓の上部表面とが密着していないので、打栓の際に、蓋とゴム栓の間に真空吸着力を生じないので打栓工程でのトラブルが発生せず、また、蓋とゴム栓とがブリードにより経時的に一体化するということもないものである。
【００２２】
また、この発明のバイアル用キャップは、キャップ自体がバイアル口部とのシール部あるいはシール構造を形成するものではないが、キャップ打栓による緊迫力によりゴム栓を確実に把握し、容器に密着せしめ、より気密性を確保するもので、内容物の外気への接触を確実に制限し、外気との接触による内容物の変質をより確実に防止できる。
【００２３】
また、この発明のバイアル用キャップは、キャップ開放時にバイアルから離脱するもので、内容物の改竄防止機能を有し、製品の安全性を確保し得る形状にすることも可能なもので、また、ゴム栓からも離脱するものであるから、キャップ開放後も、ゴム栓は栓としての機能を維持するものである。
【００２４】
また、この発明のバイアル用キャップは、その外径がバイアル径からはみ出すことがなく、また引っ掛かりやすい突起等を有さないものとすることもでき、生産工程で使用されるパ−ツフィーダーの姿勢制御、整列過程におけるキャップ同士の引っ掛かりが生じにくいという形状にすることも可能なものである。
【００２５】
また、この発明のバイアル用キャップは、合成樹脂で一体化されたもので、単一素材で形成可能で、開封時にゴム栓などの異物質を伴うことなく、また、破断されることなく一体化を保たせることも容易なものであるため、開封後に、単一素材の一体物として存在させることもでき、分別も廃棄も、極めて容易なものである。
【００２６】
さらに、この発明のバイアル用キャップは、取外し用把持部や開封部を大きく、あるいは複雑な形状とする必要がなく、構造が簡単なものを、単一素材で、一体成形で調製できるもので、成形容易が容易で、生産工程を非常に効率的にすることのできるものである。
【発明を実施するための最良の形態】
【００２７】
以下、この発明にかかるバイアル用キャップを、添付の図面を参照し、実施例に基づいて詳細に説明するが、この発明は例示の実施例にのみ限定されるものではなく、この発明の要旨を変更しない範囲内において自由に改変することができるものである。なお、以下の全ての図面において、同じ機能を有するものは同じ符号を付して説明する。
【実施例１】
【００２８】
この発明にかかるバイアル用キャップにおいて、図１に示すバイアル用キャップ１は、合成樹脂材料で成形されるもので、円筒体３と、この円筒体３の開口部に設けられた蓋４とから構成されたものである。
前記円筒体３は、その内面下部には、バイアル２口部のフランジ部２１と係合する環状の突起からなる係合部５が形成されるとともに、前記蓋４自体がゴム栓１０を押圧するように、蓋４の下面に、ゴム栓１０の上面に形成されている突起１１を避ける形で、突起状のゴム栓押圧部６が対称的に設けられている。
【００２９】
また、前記バイアル用キャップ１を構成する円筒体３の、弱化線９ａが形成された部位には、図２（ａ）で明らかなように、帯状の板状体の基端部を弱化線９ａと平行に固定するとともに、その先端部を円筒体３に沿って並行に展延させて、取外し用把持部７を形成している。
なお、前記円筒体３と蓋４の結合部には、円筒体３の弱化線９ａの一端を起点とし、取外し用把持部７の展延方向とは逆方向に、所定長さの円弧状の弱化線９ｂが設けられている。
また、前記取外し用把持部７の先端部は、突起７ａを介して、円筒体３に取外し自在に固定されている。
【００３０】
かかる構成からなるバイアル用キャップ１を装着した、密封状態のバイアル２を開封するには、図２（ａ）で示すように、円筒体３に並行に展延している、取外し用把持部７の先端部を、係止用の突起７ａに抗して引き起こし、蓋４の上部に形成された弱化線９ｂに沿って開くように拡げれば、図２（ｂ）で示すように、弱化線９ａと弱化線９ｂがそれぞれ切り裂かれ、バイアル２からバイアル用キャップ１を、円筒体３と蓋４とを分離することなく一体的に取外すことができる。
【００３１】
このバイアル用キャップ１は、上面に突起等の出っ張りがないため、積み重ねに際して据わりがよく、取外し用把持部７を大きくすることができるため、バイアル用キャップ１の取外しが容易で、小型の瓶から大型の瓶まで適用され得る物で、蓋４などによりゴム栓１０を完全に被覆するものであるため、改竄防止効果の高いものである。
【実施例２】
【００３２】
図３に示すバイアル用キャップ３１も合成樹脂材料で成形されるもので、円筒体３と、この円筒体３の上部開口部の一部に、ヒンジ８を介して一体的に開閉自在に設けられた蓋４とから構成されている。
前記円筒体３は、その内面下部には、バイアル２口部のフランジ部２１と係合する環状の突起からなる係合部５が形成されるとともに、上部開口部内面には、環状の突起からなるゴム栓押圧部６が形成されているもので、前記ヒンジ部８の対称位置には、取外し用把持部７が一体形成されている。
【００３３】
このバイアル用キャップ３１には、図４で明らかなように、前記円筒体３には、壁面を薄肉にして形成された2本の弱化線９ａ，９ｂが、ヒンジ８の端部からそれぞれ下部開口部まで設けられている。
なお、図中１０は、バイアル２の口部に密嵌されるゴム栓である。
【００３４】
図４（ａ）〜図４（ｄ）は、かかる構成のバイアル用キャップ３１を、ゴム栓１０付のバイアル２への装着から取外しまでを示すものである。
まず、図４（ａ）で示される密封状態のバイアル２を開封するには、図４（ｂ）で示すように、取外し用把持部７を用い、ヒンジ８の機能により、蓋４を開放する。
ついで、図４（ｂ）の状態に至れば、蓋４自体が取外し用把持部７としての機能を有するようになるので、この蓋４を把手として、それ自体をバイアル２から引き下げるようにすると、円筒体３に形成された弱化線９ａ、９ｂが切り裂かれ、円筒体３と蓋４が切り離され、バイアル２から外される。
【００３５】
その際、環状の突起からなるゴム栓押圧部６の上部、すなわち、ゴム栓１０より上に突出している突起の一部６ａを、図６に示されるバイアル用キャップ４１のように、切り欠いておくことによって、蓋４を切り離すときに、指でゴム栓１０を押さえることが容易になり、円筒体３が取外されるときに、ゴム栓１０が帯同して外れることを防止でき、好ましいものである。
【００３６】
このバイアル用キャップ３１は、上面に突起等の出っ張りがないため、積み重ねる際の据わりがよく、蓋４が取外し用把持部としての機能を有するため、バイアル用キャップ３１の取外しが容易で、小型の瓶から大型の瓶まで適用され得るものである。
【実施例３】
【００３７】
図５および図６は、図３で示された合成樹脂からなるバイアル用キャップ３１の他の実施例を示すものである。
この実施例においては、円筒体３の壁面を薄肉にして形成する２本の弱化線９ａ，９ｂを、ヒンジ８の両端から下部開口部まで設けるに際し、いずれか一方の弱化線（図５においては９ｂ）を、下部開口部に達しない短いものとしている。
したがって、切り離されたバイアル用キャップ４１は、実施例２のように２個の部材に分離することがなく、一度に取外すことができるものである。
また、ゴム栓押圧部６を構成する環状の突起の上部を、図６に示されるように、切り欠いておくことは、実施例２と同様に好ましいことである。
【実施例４】
【００３８】
図７および図８のバイアル用キャップ５１も、図１と同様に、蓋４自体がゴム栓１０を押圧する構造を有するもので、内面下部にバイアル２の口部のフランジ部２１と係合する環状の突起からなる係合部５を有する円筒体３と、この円筒体３の上部開口部を閉止し、かつ裏面にゴム栓１０に形成されている突起１１を避ける形で、突起状のゴム栓押圧部６が対称的に設けられた蓋４と、この蓋４の上面に同心円状に一体成形されたリング部材１３および取外し用把持部７とから構成されたものである。
【００３９】
前記取外し用把持部７は、側面が帯状のリング体からなるもので、その基部が、ヒンジ８として機能するように、円筒体３の弱化線９の一端を起点とする、所定の幅をもって円筒体３に接合するように設けられたもので、その対面側は前記円筒体３の外周面と一致するように設けられている。また、前記蓋４に設けられたリング部材１３の頂面と、取外し用把持部７の頂面は、面一となるように形成されている。
【００４０】
また、リング体からなる取外し用把持部７と、前記リング部材１３は、使用前は、取外し用把持部７に位置の安定性を与えるために、図示されるように、複数箇所において、突起物１４で結合していることが好ましい。
【００４１】
なお、リング部材１３は、バイアル２が積み重ねられた際、特に、内容物が収納されたバイアル２を積み重ねた際に、積み重ねられたバイアル２の安定性を保持するもので、バイアル２の形状、重量などによっては、必ずしも必要なものではないが、常に安定性を確保するためには、設けておくのが好ましいものである。
【００４２】
かかるバイアル用キャップ５１を装着した、密封状態のバイアル２を開封するには、まず、図８（ａ）で示すように、蓋４の上部に設けられている取外し用把持部７を引き起こし、さらに、図８（ｂ）で示すように、円筒体３に設けられた弱化線９を切り裂くように引き下げればよく、それにより、弱化線９が切り裂かれ、バイアル２からバイアル用キャップ５１を分離させることなく一体として外すことができる。
【００４３】
このバイアル用キャップ５１も、上面に突起等の出っ張りがないため、積み重ねる際のすわりが良く、取外し用把持部７を大きくすることができるため、バイアル用キャップ５１の取外しが容易で、小型の瓶から大型の瓶まで適用されうるものである。
また、蓋４などによりゴム栓１０を完全に被覆するものであるため、改竄防止効果の高いものである。
【実施例５】
【００４４】
図９（ａ）に示す、合成樹脂製のバイアル用キャップ６１は、図１と同様に、蓋４自体が、バイアル２の口部に密嵌されるゴム栓１０を押圧するように構成されたものである。
すなわち、このバイアル用キャップ６１は、バイアル２の口部と密着可能な内径を有する円筒体３と、この円筒体３の頂部開口部を閉止する蓋４からなるもので、前記円筒体３の一部に、上端部から下端部に達する１本の弱化線９を形成するとともに、前記蓋４の上面に、前記円筒体３の外径よりも径の小さなリング状の取外し用把持部７を設けたものである。
【００４５】
前記リング状の取外し用把持部７を蓋４の上面に設けるに際しては、取外し用把持部７の下端部のほぼ全周が直接肉薄に形成され、一箇所のみが、蓋４に比較的強固に固着されているので、取外し用把持部７を切り離すことによって、バイアル２との嵌合部が開放され、一工程で簡単に外すことができる。
【００４６】
なお、バイアル２の口部に装着されるゴム栓１０は、図９（ｂ）で明らかなように、製造上から上面に複数の突起１１が形成されている。この蓋４の底面には、これら突起１１を避ける形で、突起状のゴム栓押圧部６が対称的に設けることによって、ゴム栓１０をバイアル２により密着させることができる。
【００４７】
かかるバイアル用キャップ６１を実装したバイアル２は、図１０（ａ）に示すように、蓋４の上面に、取外し用把持部７のリフト用の目印４ａが示されている。したがって、この目印４ａ近傍の取外し用把持部７の一部を持ち上げ、蓋４と円筒体３との連結部を切り裂き、図１０（ｂ）に示すようにヒンジ８を利用して、取外し用把持部７をバイアル２から引き下げるようにすると、図１０（ｃ）で明らかなように、円筒体３に形成された弱化線９が切り裂かれると同時に、円筒体３が切り裂かれ、バイアル２からバイアル用キャップ１が一体の状態で取外すことができる。
【００４８】
このバイアル用キャップ６１は、上面に突起等の出っ張りがないため、積み重ねる際のすわりが良く、蓋４上部のリングが取外し用把持部７としての機能を有するため、バイアル用キャップ６１の取外しが容易で、小型の瓶から大型の瓶まで適用され得るもので、蓋４などによりゴム栓１０を完全に被覆するため、改竄防止効果の高いものである。
【実施例６】
【００４９】
図１１に示すバイアル用キャップ７１も、図１と同様に蓋４自体がゴム栓１０を押圧するもので、蓋４の下面に、ゴム栓１０に形成されている突起１１を避ける形で、突起状のゴム栓押圧部６が対称的に設けられている。
また、円筒体３の外側面上部に、円筒体３の外周を覆ってリング状の取外し用把持部７が設けられている。この取外し用把持部７と円筒体３は、円筒体３の弱化線９の一端を起点とする所定の幅のヒンジ８を除いて、分離可能なように突起物１４で点状に連結されている。
【００５０】
また、前記円筒体３の弱化線９の他端は、下部開口部に向かって垂直に設けられ、前記ヒンジ８と対称の位置における取外し用把持部７の下部には、その取外しをより容易にするため、図１２（ｂ）で明らかなように、舌片７ａが、取外し用把持部７の一部として設けられている。
【００５１】
かかるバイアル用キャップ７１を装着した、図１２（ａ）に示す、密封状態のバイアル２を開封するには、まず、目印４ａで示された位置に形成されている舌片７ａに指先を掛けながら、これを上方に持ち上げると、円筒体３との連結部が切り裂かれる。
ついで、図１２（ｂ）に示すように前記ヒンジ８を利用して、取外し用把持部７を蓋４と平行になるまで開いた後、弱化線９を切り裂くように、円筒体３の周方向に引くと、図１２（ｃ）で明らかなように、弱化線９とともに蓋４に設けられた円弧状の弱化線９ａが切り裂かれ、バイアル２からバイアル用キャップ７１が一体として外れるものである。
【００５２】
なお、このバイアル用キャップ７１も、上面に突起等の出っ張りがないため、積み重ねる際の据わりがよく、蓋上部の筒状体が取外し用把持部としての機能を有するため、バイアル用キャップ７１の取外しが容易で、小型の瓶から大型の瓶まで適用され得るもので、蓋４などによりゴム栓１０を完全に被覆するものであるため、改竄防止効果の高いものである。
【実施例７】
【００５３】
図１３に示されるバイアル用キャップ８１も、図１と同様に、蓋４自体がゴム栓１０を押圧するもので、蓋４の下面に、ゴム栓１０に形成されている突起１１を避ける形で、突起状のゴム栓押圧部６が対称的に設けられている。
また、前記円筒体３と蓋４は、円筒体３の弱化線９の一端を起点とする所定の幅のヒンジ８を除いて分離可能な突起物１４によって結合されたもので、ヒンジ８と対称の位置には、蓋４の円筒体３との結合部から突出し、かつ、蓋４の周壁に沿って展延するように取外し用把持部７が設けられている。
【００５４】
かかるバイアル用キャップ８１を装着した、図１４（ａ）に示す、密封状態のバイアル２を開封するには、まず、取外し用把持部７を持ち上げ、円筒体３と蓋４の結合部を切り裂き、図１４（ｂ）に示すようにヒンジ８を利用して、蓋４を完全に開放した後、弱化線９を切り裂くように、蓋４を下方に引っ張るように引き下げると、弱化線９が切り離され、バイアル２からバイアル用キャップ８１を一体として外すことができるものである。
【００５５】
このバイアル用キャップ８１も、上面に突起等の出っ張りがないため、積み重ねる際のすわりが良く、蓋４自体が取外し用把持部７としての機能を有するため、バイアル用キャップ８１の取外しが容易で、小型の瓶から大型の瓶まで適用され得るものである。
また、蓋４などによりゴム栓１０を被覆するものであるため、改竄防止効果の高いものである。
【産業上の利用可能性】
【００５６】
この発明のバイアル用キャップは、凍結乾燥製剤などの薬剤を収納するバイアルにおけるゴム栓での密閉を、さらに確実にするものである。また、改竄防止効果の高いものでありながら、構造が簡単で開封も容易で、単一素材で形成されているため、分別廃棄も容易であるという特長を有しているため、製薬、試薬業界、そして包装材業界において、広く利用される可能性の高いものである。
【図面の簡単な説明】
【００５７】
【図１】この発明のバイアル用キャップの一例を示す要部の部分断面図である。
【図２】図１で示されたバイアル用キャップを装着したバイアルの斜視図であって、（ａ）は開封直後の状態を、（ｂ）は取外し直前の状態をそれぞれ示している。
【図３】他のバイアル用キャップの例を示す部分断面図である。
【図４】図３で示されたバイアル用キャップとバイアルの関係を示す斜視図で、（ａ）は装着状態を、（ｂ）は蓋を開口した状態を、（ｃ）は弱化線に沿って破断する状態を、（ｄ）は取外した状態をそれぞれ示す。
【図５】バイアル用キャップの他の例を示す斜視図である。
【図６】バイアル用キャップの他の例を示す斜視図である。
【図７】さらに他のバイアル用キャップの例を示す部分断面図である。
【図８】図７で示されたバイアル用キャップを装着したバイアルの斜視図であって、（ａ）は開封直後の状態を、（ｂ）は取外し直前をそれぞれ示している。
【図９】さらに他のバイアル用キャップの例を示すもので、（ａ）は部分断面図、（ｂ）はその平面図である。
【図１０】図９で示されたバイアル用キャップを装着したバイアルの斜視図であって、（ａ）は開封前の状態を、（ｂ）は破断開始直後の状態を、（ｃ）は取外し直前の状態をそれぞれ示している。
【図１１】さらに他のバイアル用キャップの例を示す部分断面図である。
【図１２】図１１で示されたバイアル用キャップを装着したバイアルの斜視図であって、（ａ）は開封前の状態を、（ｂ）は取外し直前の状態を、（ｃ）は取外し直後をそれぞれ示している。
【図１３】さらに他のバイアル用キャップの例を示す部分断面図である。
【図１４】図１３で示されたバイアル用キャップを装着したバイアルの斜視図であって、（ａ）は開封前の状態を、（ｂ）は取外し直前の状態をそれぞれ示している。
【符号の説明】
【００５８】
１          バイアル用キャップ
２          バイアル
３          円筒体
４          蓋
５          係合部
６          ゴム栓押圧部
７          取外し用把持部
７ａ        凸状体
８          ヒンジ
９ａ，９ｂ  弱化線
１０          ゴム栓
１１          突起
１３          重積用のリング体
１４          突起物
【図１】
2007008517.tif 000003
【図２】
2007008517.tif 000004
【図３】
2007008517.tif 000005
【図４】
2007008517.tif 000006
【図５】
2007008517.tif 000007
【図６】
2007008517.tif 000008
【図７】
2007008517.tif 000009
【図８】
2007008517.tif 000010
【図９】
2007008517.tif 000011
【図１０】
2007008517.tif 000012
【図１１】
2007008517.tif 000013
【図１２】
2007008517.tif 000014
【図１３】
2007008517.tif 000015
【図１４】
2007008517.tif 000016